(57)【要約】  改善された色可変チューブライトは不透明のコアライン、該コアラインに配置される複数のＬＥＤ、前記コアラインと同じ長さの半透明の散光器、前記散光器と一体的に押出成型によって形成され前記コアラインを覆う前記コアラインと同じ長さをもつ被覆層を含む。ユニットは前記複数のＬＥＤの赤色ＬＥＤ、緑色ＬＥＤ、青色ＬＥＤを固定手段に配置することで形成され、複数の前記ユニットは連続的に接続され前記コアラインの複数の横断スルーホールにそれぞれ配置される。前記固定手段は箱であってもよい。前記箱は四辺形、円形、楕円形の形状であっても良い。本発明のチューブライトはネオンライトの光線の効果を得るものであり、またさまざまな効果を得るための色変更や色混合も可能である。
2008541388.tif 000002
【特許請求の範囲】
【請求項１】
白色不透明の軟質プラスティックの押出成型によって製造される所定長さの長細体の形状をなすコアラインであって、前記長細体の断面の一側面部分に間隔を空けて４の銅より線が垂直に配置され、前記長細体の前記断面の中央部分に２の縦スルーホールが配置され、前記銅より線は前記縦スルーホールの長さと同じ長さであり、前記縦スルーホールの上側面に細長い間隙が縦方向に形成され、前記長細体の縦方向長さに沿って複数の横断スルーホールが所定の等間隔で配置され、前記銅より線と平行なそれぞれの前記横断スルーホールは前記長細体の中央に配置され、前記長細体の上側面に逆台形溝が配置されるものと、
相互に直列接続されていて少なくとも１の電流制限抵抗器にも接続されている複数のＬＥＤであって、直列接続された前記ＬＥＤのストリングの両端が前記コアラインにおける前記銅より線と電気的に接続されているものと、
柔弱半透明の物体からなり、前記コアラインと同じ長さであり、所定の幅および高さであり、前記ＬＥＤの光線を散乱させるために前記複数のＬＥＤの上に配置される散光器と、
前記コアラインと同じ長さの被覆層であって、前記被覆層は前記複数のＬＥＤと前記散光器と前記コアラインを包むために押出成型による白色不透明の軟質プラスティックで形成され、前記被覆層はネオンライトのチューブライト出射表面を再現する半円形表面であり、また前記散光器と一体的に形成されるものと、
を備え、
前記複数のＬＥＤの赤色ＬＥＤ、緑色ＬＥＤ、青色ＬＥＤが固定手段に搭載されることによって一つのユニットが形成され、複数の前記ユニットは直列接続されそれぞれ前記コアラインの前記複数の横断スルーホールに搭載される改善された色可変チューブライト。
【請求項２】
前記横断スルーホールは四辺形、円形または楕円形の形状である請求項１の改善された色可変チューブライト。
【請求項３】
固定装置は箱である請求項１の改善された色可変チューブライト。
【請求項４】
前記箱は四辺形、円形又は楕円形の形状である請求項３の改善された色可変チューブライト。
【請求項５】
前記箱は上部の開口と底部の開口を備え前記底部の開口は上部のそれよりわずかに大きい請求項４の改善された色可変チューブライト。
【請求項６】
前記箱は前記ＬＥＤを囲むための留め金プレートと留め金キーを底部に備える請求項４の改善された色可変チューブライト。
【請求項７】
前記箱は底部の２側面に前記ＬＥＤリードワイヤーを導き出すための細長い間隙を備える請求項４の改善された色可変チューブライト。
【請求項８】
前記留め金プレートは前記ＬＥＤを支持し２の前記ＬＥＤリードワイヤーを分離するための下見板を備える請求項６の改善された色可変チューブライト。
【発明の詳細な説明】
【技術分野】
【０００１】
本発明は装飾用照明装置に関し、特にネオンライトの連続的、均一、鮮明かつやわらかな光線の効果を再現するための色可変のチューブライトに関するものである。
【背景技術】
【０００２】
ネオンライトの効果を再現するための既知のチューブライトは、コアライン中の横断スルーホールと横断スルーホール中のＬＥＤにより提供される。ネオンライトの連続的、均一、鮮明かつやわらかな光線の効果を得ることができるが、色可変の効果は利用できないままであった。本願の出願人によって出願されたＰＣＴ国際出願No.PCT/CN2004/000634では、赤色ＬＥＤ、緑色ＬＥＤ、青色ＬＥＤの固定手段とコアラインの横断スルーホールへの配置については開示されていない。もし色可変ネオンライトの効果を再現するためのチューブライトが上述の国際出願に従って設計されるとすると、赤色ＬＥＤ、緑色ＬＥＤ、青色ＬＥＤは三本の平行な横断スルーホールに別々に配置されると考えられ、そのため当然に間隔が広がり、散光器、色混合、色変更による光線の拡散と均質化にとって不利となる。もし赤色ＬＥＤ、緑色ＬＥＤ、青色ＬＥＤが同時に特定の横断スルーホールに配置されるとすると、三個のＬＥＤは固定手段の欠如から容易に位置を変えてしまうと考えられ、色混合や色変更に悪影響を及ぼすから発光の色不均一をもたらし、その上、構造がコンパクトでなく十分堅固でもないのでＬＥＤのリードワイヤーが容易に損傷し電気的接続を悪化させると予測される。従って、この分野の企業にとって、ネオンライトの連続的、均一、鮮明かつやわらかな光線の効果を再現するチューブライトであって、光線の色混合や色変更ができ、しかもコンパクトで堅固な構造で、必要であれば自由に折り曲げ、切断、延長ができるものを設計することが目標となっている。
【発明の開示】
【発明が解決しようとする課題】
【０００３】
先行技術の状況とその技術の結果として伴う欠点に鑑みて、本発明の目的はネオンライトの連続的、均一、明色かつやわらかな光線の効果を再現でき、光線の色混合や色変更ができ、しかもコンパクトで堅固な構造で、必要であれば自由に折り曲げ、切断、延長ができるチューブライトを提供することとする。
【課題を解決するための手段】
【０００４】
上述した本発明の目的は以下の技術的解決手法により達成される、
白色不透明の軟質プラスティックの押出成型によって製造される所定長さの長細体の形状をなすコアラインであって、前記長細体の断面の一側面部分に間隔を空けて４の銅より線が垂直に配置され、前記長細体の前記断面の中央部分に２の縦スルーホールが配置され、前記銅より線は前記縦スルーホールの長さと同じ長さであり、前記縦スルーホールの上側面に細長い間隙が縦方向に形成され、前記長細体の縦方向長さに沿って複数の横断スルーホールが所定の等間隔で配置され、前記銅より線と平行なそれぞれの前記横断スルーホールは前記長細体の中央に配置され、前記長細体の上側面に逆台形溝が配置されるものと、
相互に直列接続されていて少なくとも１の電流制限抵抗器にも接続されている複数のＬＥＤであって、直列接続された前記ＬＥＤのストリングの両端が前記コアラインにおける前記銅より線と電気的に接続されているものと、
柔弱半透明の物体からなり、前記コアラインと同じ長さであり、所定の幅および高さであり、前記ＬＥＤの光線を散乱させるために前記複数のＬＥＤの上に配置される散光器と、
前記コアラインと同じ長さの被覆層であって、前記被覆層は前記複数のＬＥＤと前記散光器と前記コアラインを包むために押出成型による白色不透明の軟質プラスティックで形成され、前記被覆層はネオンライトのチューブライト出射表面を再現する半円形表面であり、また前記散光器と一体的に形成されるものと、
を備え、
前記複数のＬＥＤの赤色ＬＥＤ、緑色ＬＥＤ、青色ＬＥＤが固定手段に搭載されることによって一つのユニットが形成され、複数の前記ユニットは直列接続されそれぞれ前記コアラインの前記複数の横断スルーホールに搭載される改善された色可変チューブライト。
【０００５】
前記横断スルーホールは四辺形又は円形又は楕円形の形状である。
【０００６】
前記固定装置は箱である場合がある。前記箱は四辺形又は円形又は楕円形の形状である。前記箱は上部の開口と下部の開口を備え、前記底部の前記開口は前記上部のそれよりわずかに大きい。前記箱は前記ＬＥＤを囲むために前記底部に留め金プレートと留め金キーを備える。前記箱は前記底部の２側面にＬＥＤリードワイヤーを導くための細長い間隙を備える。前記留め金プレートは前記ＬＥＤを支持し２の前記ＬＥＤリードワイヤーを分離するための下見板を備える。
【発明の効果】
【０００７】
本発明によれば、改善された色可変チューブライトは以下の効果がある、
複数のＬＥＤの赤色ＬＥＤ、緑色ＬＥＤ、青色ＬＥＤが１の固定手段に配置されることによりユニットが形成されており、さらにコアラインの横断スルーホールの複数のユニットがそれぞれ配置されている事実から、本発明のチューブライトは連続的、均一、鮮明かつやわらかな光線の効果を備えしかも必要であれば自由に曲げたり切断したり伸ばしたりできるように、チューブライトはコンパクトかつ堅固な構造であり、ＬＥＤリードワイヤーは容易に損傷を受けず、電気的接続は安定し、３のＬＥＤは位置を変えず、３のＬＥＤの間隔は小さいため赤、緑、青ＬＥＤの色混合や色変更に有利である。七色の点滅や変更および、色の鮮やかさや多様性も適宜に得ることができる。
【発明を実施するための最良の形態】
【０００８】
図１、図２、図３の参照から分かるように、改善された色可変チューブライトの製造工程において、四本の銅より線０１ａ、０１ｂ、０１ｃ、０１ｄは押出成型機の成型孔（不図示）を通り抜け、例えばＰＶＣや色の異なるプラスティックでも良いが白色不透明の軟質プラスティックであって所定長さの長細体が自動的、連続的に押出しされる。この長細体は逆台形形状の溝を備えている。この長細体はコアライン０２である。コアライン０２の中腹に２本の縦スルーホール１８ａ、１８ｂが間隔を空けて水平に配列されている。銅より線０１ａ、０１ｂ、０１ｃ、０１ｄと、縦スルーホール１８ａ、１８ｂは長細体に沿って縦に伸びており、コアライン０２と同じ長さとなっている。細長い間隙１８１ａ、１８１ｂは縦スルーホール１８ａ、１８ｂの上部壁にそれぞれ縦方向に形成されている。
【０００９】
そして、コアライン０２の縦方向全体に沿って、複数の横断スルーホール０３ａ、０３ｂ、０３ｃ、０３ｄ、０５ａ、０５ｂは、銅より線０１ａ、０１ｂ、０１ｃ、０１ｄと平行に、自動パンチングマシーンによって等間隔に穴が開けられている。この等間隔スルーホールはコアライン０２の中央部分の、銅より線０１ａ、０１ｂ、０１ｃ、０１ｄと反対の面であって銅より線０１ａ、０１ｂ、０１ｃ、０１ｄと平行に配置されている。コアラインにおける穿孔された横スルーホールは少なくとも一列であるが、二列、三列などであっても良い。横スルーホールは四辺形であっても良いし、円形、楕円形などの他の形状である場合も考えられる。本実施形態では横断スルーホール０３ａ、０３ｂ、０３ｃ、０３ｄは四辺形であり、他の2列の横スルーホールは丸い。
【００１０】
ＬＥＤバルブは例えば低消費電力、低温、高輝度、小型などの良好な特性を備え、それ故に、チューブライトの輝度を安全に増加させる目的で単位長さ当たりのＬＥＤの数を増加させるためにＬＥＤの間隔を低減でき、そして、ガラスネオンライトを超える輝度を得ることが可能である。好ましくは、ＬＥＤバルブは楕円又は平坦な形状であり、直径又は幅は３ｍｍから５ｍｍであり、ＬＥＤの輝度は２００Ｍｃｄ程度であり、ＬＥＤを搭載するための横断スルーホール０３ａ、０３ｂ、０３ｃ、０３ｄ間の間隔はたった１／２インチである。
【００１１】
本発明では、1つのユニットは複数のＬＥＤすなわち赤色ＬＥＤ、緑色ＬＥＤ、青色ＬＥＤが固定手段で固定されることで形成され、複数のユニットは順番に接続されコアラインの複数の横断スルーホールにそれぞれ配置される。箱は四辺形、円形、楕円の形状である。図６、図７に示すように固定手段としては、堅固でコンパクトな構造を可能としＬＥＤリードワイヤーの破断を防止できる四辺形箱２３の形状をなすことが望ましい。四辺形箱２３は上部２７が開口しており、底部２８でも開口しており、底部２８における開口は上部における開口より大きい。ＬＥＤを囲んで覆うための留め金プレート２４と留め金キー２５は四辺形箱２３の底に備わる。留め金プレート２４は、ＬＥＤを指示し、２のＬＥＤリードワイヤーを隔てるための下見板を備える。四辺形箱２３はその底の２側面にＬＥＤリードワイヤーを導くための細長い間隙２９を備える。赤、緑、青の３のＬＥＤを備えるＬＥＤバルブ０４は、底部２８を経由し四辺形箱２３へ挿入され、そして留め金プレート２４が閉じられ、そしてこのようにして下見板２６はしっかりとＬＥＤを支持しＬＥＤの２のリードワイヤーを分離する。リードワイヤー２９１は細長い間隙２９を通って四辺形箱の外へ導かれる。留め金プレート２４と留め金キー２５は、図７に示されるように堅固でコンパクトな構造が得られしかも２のＬＥＤリードワイヤーが破断を回避できるようにかみ合う。
【００１２】
コアライン０２が生産された後、各々赤、緑、青の３のＬＥＤを含む四辺形箱０４ａ、０４ｂ、０４ｃ、０４ｄが色に応じて連続的に接続される、すなわち、赤色のＬＥＤは各々1つの経路で接続され、緑色のＬＥＤは各々1つの経路で接続され、青色のＬＥＤは各々1つの経路で接続される。少なくとも1つの電流制限抵抗器０６がＬＥＤと直列に接続される。四辺形箱０４ａ、０４ｂ、０４ｃ、０４ｄはそれぞれ順々にコアライン０２の四辺形横断スルーホール０３ａ、０３ｂ、０３ｃ、０３ｄに挿入される。ＬＥＤを接続するワイヤー又は直列接続された電流制限抵抗器０６を収容するための２の丸型横断スルーホール０５ａ、０５ｂは２の四辺形横断スルーホール間に配置される。ＬＥＤｓ０４のリードワイヤー２９１とそれらの接続ワイヤー０７は、細長い間隙１８１ａ、１８１ｂを経由して縦スルーホール１８ａ、１８ｂに配置される。LEDストリングがコアライン０２に挿入された後、LEDストリングのヘッド側のリードワイヤー０７は銅より線０１ａ、０１ｂ、０１ｃに接続され、LEDストリングの他端は銅より線０１ｄに、図３に示される３のループを形成するように接続される。  
【００１３】
図８に示されるように、既知のチューブライトは散光器１８０とライトシールド層１９０に覆われたコアライン１２０によりなる。銅より線１１０ａ、１１０ｂはコアライン１２０の断面の片側に、上下になるように間隔を空けて供給され、また、ＬＥＤ１４０ａ、１４０ｂは銅より線１１０ａ、１１０ｂと逆の他の面に供給される。ＬＥＤ１４０ａ、１４０ｂ、接続ワイヤー１５０、電流制限抵抗器１６０はコアライン１２０の横断スルーホール１３０ａ、１３０ｂ、１３０ｃ、１３０ｄへ挿入される。固定手段は使用されておらず、ＬＥＤ１４０ａ、１４０ｂは横断スルーホールに直接挿入される。
【００１４】
上述したＬＥＤストリングがコアライン０２へ完全に挿入された後、コアライン０２は図４に示される押出成型機１６の成型孔１７を通過し、コアライン０２を覆うためのコアライン０２と同じ長さの被覆層１４が軟質プラスティック１９の押出成型によって自動的に形成される。柔弱半透明の物体である散光器は自動で連続的に被覆層１４と一体的に押出し形成される。散光器の長さは被覆層１４と同等である。すなわち、コアライン０２が押出成型機を通過すると、散光器０８がコアライン０２の上に形成され、被覆層１４がコアライン０２の下に形成され、散光器０８と被覆層１４は押出成型によって同時に一体的に押出される。散光器０８と被覆層１４を成型するためのプラスティック１９は柔弱半透明の軟質プラスティックで通常はＰＶＣである。散光器０８は、ＬＥＤバルブ０４の上にあり、ネオンライトのチューブライト出射表面を再現するための半円形表面１０である。コアライン２０上の散光器０８は、図２に示されるようであり、高さ１４ｍｍ、幅２７ｍｍである。
【００１５】
コアライン０２が成型機１６の成型孔１７を通過するとき、コアライン０２のＬＥＤバルブ０４直上に散光器０８が配置されなければならない、換言すれば、ＬＥＤバルブ０４は散光器０８の直下で散光器０８の中心線近くに配置されなければならない、ということは当業者には知られている。
【００１６】
コアライン０２は不透明のプラスティックで形成されているため、ＬＥＤがコアラインの四辺形横断スルーホールに配置された後に、ＬＥＤの出射光はコアライン０２の２の側壁を突き抜けることができない。半透明のコアライン０２は、光線がＬＥＤ０４の上からのみ出て散光器０８を通って外部に出射するようにＬＥＤｓ０４の横からの光出射をシールドする役割を果たす。
【００１７】
本発明による改善された色可変チューブライトの散光器０８は柔弱半透明又はぼんやりした半透明の物体であり、通常は押出成型による柔弱軟質ＰＶＣ又はアクリル樹脂である。散光器０８の幅と高さは、コアラインのＬＥＤの照射角および明るさと相関関係にある。散光器の高さと幅は、ＬＥＤの明るさと照射角が大きければより大きくなるだろう。反対に、ＬＥＤの明るさと照射角が小さければ、散光器の高さと幅は小さくなるだろう。散光器の幅と高さが大きければ大きいほど、明るさの損失が増加しスポット光源の出現回避に好ましい。反対に、散光器の幅と高さが小さければ小さいほど、スポット光源の出現を回避しずらく、より明るくなる。本発明では、ＬＥＤの直径又は幅は３〜５ｍｍであること、ＬＥＤの明るさは２００Ｍｃｄ程度であること、ＬＥＤの照射角が４５度であること、ＬＥＤの四辺形箱を収容するためのコアライン上四辺形横スルーホールの間隔は１／２インチであることが好ましい。図２に示されるように、散光器０８は高さＨが１４ｍｍ、幅Ｌが２７ｍｍである。ＬＥＤの出射光は散光器０８により拡散・屈折させられ、そしてＬＥＤ０４ａ、０４ｂ、０４ｃ、０４ｄの光線は端部において重なり合う、例えば図５に示されるように、ＬＥＤの端部の明るさが高められほとんどＬＥＤの中心部分の明るさと同等になるようにＬＥＤ０４ｂと０４ｃの出射光は領域１２１において重なり合う。このようにして、本発明によるチューブライトの外観は、ネオンライトと似た連続的で均一な光線の効果を備える。
【００１８】
上述した被覆層が形成されたあと、銅より線０１ａ、０１ｂ、０１ｃ、０１ｄは電源ワイヤー１１に電気的に接続され、そのような電気的接続を保護するプラスティック外被が供給され、そのようにして図１に示されるようなコネクター１２が形成される。その一方で、プラスティック外被すなわち、電機接続ワイヤーと銅より線を内部に封入するためのテールプラグ１３は上述のコアライン０２と被覆層１４の端部に形成される。複数の電気的接続の実行および電気的接続を保護するためのプラスティック外被の方法が以前から利用可能であるということは当業者には知られているものである。
【００１９】
本発明による改善された色可変チューブライトのコアラインの構造は図１、２、３に示されている。コアライン０２はＬＥＤバルブ０４の上方に面する表面に溝を備え、その溝は逆台形の形状である。その台形の２の傾いた面は、輝度が高く、連続性、均一性、明色光線の良好な半円形表面の上から射出させるようにコアライン０２のＬＥＤ０４によって出射された光線を集中および反射させる。加えて、より華やかな見た目の光線を得るために、コアライン０２における溝の傾いた面それぞれに蛍光体の層が供給されても良い。
【００２０】
図９には、ネオンライトを模擬する本発明によるチューブライトを用いて“ＯＰＥＮ”の文字が表示された電光板が示されている。組み立て中に、チューブライトは“ＯＰＥＮ”の文字を形成するために切り落とされ、曲げられており、さらに、複数のチューブライトは例えば留め金３０などの固定手段によって板３１に固定される。従って、本発明の改善された色可変チューブライトは、シンプルな構造で、容易に組み立てでき、安全かつ高信頼性である。その一方で、半円形表面１０の上からは連続的かつ均一な光線を出すチューブライトが見られ、そして、本発明のチューブライトによって形成される文字パターンがネオンライトの光線の効果を持ち、さまざまな効果を得るための色変更や色混合を行うことができるようにＬＥＤの両側からの光線は不透明なコアラインによってシールドされる。
【図面の簡単な説明】
【００２１】
【図１】本発明の実施形態によるチューブライトの斜視図である。
【図２】図１に示されるチューブライトのＡ−Ａにおける断面図である。
【図３】図１におけるＢ部分の詳細な図である。
【図４】本発明の実施形態によるチューブライトの押出成形の概略図である。
【図５】本発明の実施形態によるチューブライトの光学原理の概略図である。
【図６】本発明の実施形態による固定方法としての四辺形箱の分解図である。
【図７】本発明の実施形態による固定方法としての四辺形箱の組み立て図である。
【図８】当該技術分野では既知のチューブライトの斜視図である。
【図９】本発明の実施形態によるチューブライトの使用例である。
【図１】
2008541388.tif 000003
【図２】
2008541388.tif 000004
【図３】
2008541388.tif 000005
【図４】
2008541388.tif 000006
【図５】
2008541388.tif 000007
【図６】
2008541388.tif 000008
【図７】
2008541388.tif 000009
【図８】
2008541388.tif 000010
【図９】
2008541388.tif 000011
【国際調査報告】
2008541388.tif 000012
2008541388.tif 000013
2008541388.tif 000014
2008541388.tif 000015
2008541388.tif 000016
2008541388.tif 000017